(57)【特許請求の範囲】
【請求項１】
検出対象の角速度に応じて振動状態が変化するリング部を有する振動子を形成した半導体基板を備えた角速度センサにおいて、
前記振動子の固有振動数に対応した交流電圧を印加して前記振動子に１次振動を励起する前記振動子の静電駆動用の電極と、前記振動子に生じた振動を容量変化に基づいて検出する前記振動子の容量検出用の電極とを、前記半導体基板の前記リング部外側にのみ形成してあり、電圧を与えて前記振動子との間に静電力を生じさせることで前記振動子における１次振動及び２次振動での固有振動数を合わせ込む前記振動子の振動周波数調整用の電極を、前記リング部内側にのみ形成してあることを特徴とする角速度センサ。
【請求項２】
検出対象の角速度に応じて振動状態が変化するリング部を有する振動子を形成した半導体基板を備えた角速度センサにおいて、
前記振動子の固有振動数に対応した交流電圧を印加して前記振動子に１次振動を励起する前記振動子の静電駆動用の電極と、前記振動子に生じた振動を容量変化に基づいて検出する前記振動子の容量検出用の電極とを、前記半導体基板の前記リング部内側にのみ形成してあり、電圧を与えて前記振動子との間に静電力を生じさせることで前記振動子における１次振動及び２次振動での固有振動数を合わせ込む前記振動子の振動周波数調整用の電極を、前記リング部外側にのみ形成してあることを特徴とする角速度センサ。
【請求項３】
前記振動周波数調整用の電極の周囲に、前記リング部と同電位の部分を形成してあることを特徴とする請求項１または２に記載の角速度センサ。
【請求項４】
前記振動子、前記半導体基板、前記静電駆動用の電極、前記容量検出用の電極、及び前記振動周波数調整用の電極は、同一材料で作成されていることを特徴とする請求項１乃至３のいずれかに記載の角速度センサ。
【請求項５】
前記同一材料はシリコンであることを特徴とする請求項４記載の角速度センサ。
【請求項６】
前記静電駆動用の電極、前記容量検出用の電極、前記振動周波数調整用の電極及び前記半導体基板は、実質的に同じ平面上にあることを特徴とする請求項１乃至５のいずれかに記載の角速度センサ。
【請求項７】
前記振動周波数調整用の電極の隣り合う電極間の設置角度差Δφが、Δφ＜９０°／ｎ（ｎ：前記振動子の振動モードのモード次数）を満たすことを特徴とする請求項１乃至６のいずれかに記載の角速度センサ。
【請求項８】
前記振動周波数調整用の電極の個数は、３×２ｎ、４×２ｎまたは５×２ｎである（ｎ：前記振動子の振動モードのモード次数）ことを特徴とする請求項１乃至７のいずれかに記載の角速度センサ。
【請求項９】
一組が３個、４個または５個の振動周波数調整用の電極からなる複数組の振動周波数調整用の電極を、３６０°／２ｎ（ｎ：前記振動子の振動モードのモード次数）の間隔で前記リング部の内側または外側に形成してあることを特徴とする請求項１乃至８のいずれかに記載の角速度センサ。
【請求項１０】
前記複数組の間で対応する振動周波数調整用の電極が存在しており、各組の対応する振動周波数調整用の電極には同じ電圧が印加されることを特徴とする請求項９記載の角速度センサ。
【請求項１１】
前記複数組の間で対応する振動周波数調整用の電極が存在しており、各組の対応する振動周波数調整用の電極に独立的に電圧が印加されることを特徴とする請求項９記載の角速度センサ。
【請求項１２】
前記振動子は、前記半導体基板の中心部でその一端が支持され、その他端が前記リング部に連なる複数の梁部を有することを特徴とする請求項１乃至１１のいずれかに記載の角速度センサ。
【請求項１３】
前記振動子は、前記半導体基板の前記リング部外側でその一端が支持され、その他端が前記リング部に連なる複数の梁部を有することを特徴とする請求項１乃至１１のいずれかに記載の角速度センサ。
【請求項１４】
前記振動周波数調整用の電極と前記梁部との間に、前記リング部と同電位の部分を形成してあることを特徴とする請求項１２または１３記載の角速度センサ。
【請求項１５】
前記同電位の部分に突起部を形成してあることを特徴とする請求項１４記載の角速度センサ。
【請求項１６】
前記容量検出用の電極からの検出信号を増幅する増幅回路を前記半導体基板に形成してあることを特徴とする請求項１乃至１５のいずれかに記載の角速度センサ。
【請求項１７】
前記半導体基板は２枚の支持基板で挟まれており、前記振動子、前記静電駆動用の電極、前記容量検出用の電極、及び前記振動周波数調整用の電極を収容するキャビティを形成してあることを特徴とする請求項１乃至１６のいずれかに記載の角速度センサ。
【請求項１８】
前記静電駆動用の電極、前記容量検出用の電極、及び前記振動周波数調整用の電極、及び前記振動子を支える中心部の少なくとも１つを、前記２枚の支持基板の一方に接合させて形成してあることを特徴とする請求項１７記載の角速度センサ。
【請求項１９】
前記キャビティにゲッターを設けてあり、前記キャビティ内の雰囲気が１００ｍＴｏｒｒ以下であることを特徴とする請求項１７または１８記載の角速度センサ。
【請求項２０】
前記キャビティに不活性ガスまたはゲッターに吸着されないガスが封入されていることを特徴とする請求項１９記載の角速度センサ。
【請求項２１】
前記２枚の支持基板の一方に、前記静電駆動用の電極に接続する第１配線と該第１配線近傍の第２配線とが設けられており、前記第１配線及び第２配線夫々に逆位相の電圧を印加するように構成したことを特徴とする請求項１７乃至２０のいずれかに記載の角速度センサ。
【請求項２２】
前記２枚の支持基板の一方に、前記振動周波数調整用の電極に電圧を印加するための配線パターンが形成されていることを特徴とする請求項１７乃至２１のいずれかに記載の角速度センサ。
【請求項２３】
前記配線パターンの本数は、前記振動周波数調整用の電極の個数／２ｎ（ｎ：前記振動子の振動モードのモード次数）本であり、前記各配線パターンには、３６０°／２ｎ毎に設置された複数の前記振動周波数調整用の電極が接続されていることを特徴とする請求項２２記載の角速度センサ。
【請求項２４】
前記静電駆動用の電極及び前記容量検出用の電極と前記リング部との距離に対する前記半導体基板の厚さの比を８以上としてあることを特徴とする請求項１乃至２３のいずれかに記載の角速度センサ。
【発明の詳細な説明】
【技術分野】
【０００１】  本発明は、手振れ防止カメラ、カーナビゲーション装置などに使用され、物体の角速度を検出する角速度センサに関するものである。
【背景技術】
【０００２】  近年、低コスト化及び小型化を図ることを目的とした角速度センサとして、半導体製造プロセス等における技術を応用して種々の機械要素の小型化を実現するＭＥＭＳ（Ｍｉｃｒｏ  Ｅｌｅｃｔｒｏ  Ｍｅｃｈａｎｉｃａｌ  Ｓｙｓｔｅｍ）技術を用いてシリコンウェハに振動子を形成し、このシリコンウェハを２枚のガラス基板で挟み込んで振動子を封止した構成をなす角速度センサが開発されている（例えば、特許文献１参照）。【０００３】  図１０は、特許文献１に開示された従来の角速度センサの構成図である。角速度センサ６０は、一対のガラス基板６１，６２と、両ガラス基板６１，６２の間に形成された重り７１，ベース７３及びＴ字形の支持ビーム７２を有する振動子７４が加工されたシリコンフレーム７０とから構成されており、ガラス／シリコン／ガラスの三層構造になっている。上側のガラス基板６１にはコンタクトホール６３が空けられており、シリコンフレーム７０には、コンタクトホール６３に嵌められて振動子７４を封止する柱６４が形成されている。コンタクトホール６３には金属がスパッタリングされており、このコンタクトホール６３にワイヤボンディングされて、ガラス基板６１に設けられている電極と電気的に接続されている。【０００４】  ガラス基板６１の下面には、放射方向に延びる櫛歯状の静電駆動用電極６１ａと、一対の容量検出用電極６１ｂと、容量検出用電極６１ｂの両側の二対の振動姿勢制御用電極６１ｃとが設けられている。下側のガラス基板６２の上面には、静電駆動用電極６１ａに対向する櫛歯状の静電駆動用電極６２ａと、容量検出用電極６１ｂ及び振動姿勢制御用電極６１ｃに対向する一対の容量検出用電極６２ｂとが設けられている。振動子７４の円環状をなす重り７１の上下面の静電駆動用電極６１ａ，６２ａに対応する領域に放射状の溝７６が形成されており、この溝７６の凸部及び凹部に電極が形成されている。支持ビーム７２の両端が重り７１に連結され、支持ビーム７２は重り７１を中空に支持している。【０００５】  静電駆動用電極６１ａ，６２ａと振動子７４の重り７１の電極との間に駆動電圧が印加されると、静電駆動用電極６１ａ，６２ａにはその接離方向に静電力が作用し、振動子７４が２軸回りに回転振動される。ここで、ｘ軸回りの角速度が加えられた場合、振動子７４は、コリオリ力が作用することによって、ｙ軸回りに振動する。この振動によって、容量検出用電極６１ｂ，６２ｂと振動子７４の重り７１の表面との距離が変動することなり、これらの間の容量が変動するので、この容量変化を検出することにより、加えられた角速度を検出できる。
【特許文献１】特開平１１−２６４７２９号公報
【発明の開示】
【発明が解決しようとする課題】
【０００６】  特許文献１に記載された角速度センサにあっては、ガラス基板上に電極を設けて、それから配線取り出し用のスルーホールまで配線を施すため、金属の配線が封止部を横切り、振動子の封止の信頼性が低いという問題がある。また、シリコンユニットのエッチング深さとガラス基板上の電極の厚さとでキャパシタンスのギャップが規定されるが、エッチング深さの加工ばらつきを小さくすることは、エッチング幅の加工ばらつきを小さくすることに比べて困難である。これは、マスクパターンを利用すればエッチング幅の正確な加工は容易に行えるのに対して、エッチング深さはエッチング時間で制御されるがエッチング時間はエッチング条件に大いに影響されるためその制御が難しいからである。よって、均一な特性を有する角速度センサを量産できないという問題がある。【０００７】  また、米国特許第５６１６８６４号には、中心部で支持された共振子としてのリング部の外側に静電駆動用の電極及び容量検出用の電極を形成した平面リング構造の角速度センサが開示されている。このような平面リング構造の角速度センサでは、ｃｏｓｎθモード（ｎ：モード次数）の振動を利用して角速度を検出する。ｃｏｓｎθモードを用いる振動型の角速度センサ（ジャイロ）では、駆動する１次振動の固有振動数と角速度で発生するコリオリ力により励起される２次振動の固有振動数とが近い方が検出精度は良好である。しかしながら、リング部の加工誤差などによって両固有振動数はずれるため、２つの振動モードでの共振周波数を正確に整合させる必要がある。そこで、米国特許第５６１６８６４号では、静電駆動用の電極を利用して、リング部とこの静電駆動用の電極との間に固定直流オフセット電圧を印加することにより、２つの振動モードでの共振周波数を差分的に調整している。【０００８】  静電駆動用の電極を振動周波数調整用の電極として併用させているので、制御回路が複雑になるという問題がある。また、静電駆動用の電極に直流オフセット電圧を印加することは容易であるが、容量検出用の電極に直流オフセット電圧を印加することは回路構成上困難であるため、振動周波数の調整用に容量検出用の電極は使用できない。よって、振動周波数の調整用に使用できる電極の数が少なくなり、限定された角度位置のみでの電極の使用に限定され、総面積も小さくなるので、モード周波数の整合機能が制限されるという問題がある。【０００９】  本発明は斯かる事情に鑑みてなされたものであり、振動子の封止性を向上でき、均一な特性の製品を容易に量産できる角速度センサを提供することを目的とする。【００１０】  本発明の他の目的は、回路構成が複雑でなく、モード周波数の調整を精度良く行える角速度センサを提供することにある。
【課題を解決するための手段】
【００１２】
本発明の角速度センサは、検出対象の角速度に応じて振動状態が変化するリング部を有する振動子を形成した半導体基板を備えた角速度センサにおいて、前記振動子の固有振動数に対応した交流電圧を印加して前記振動子に１次振動を励起する前記振動子の静電駆動用の電極と、前記振動子に生じた振動を容量変化に基づいて検出する前記振動子の容量検出用の電極とを、前記半導体基板の前記リング部外側にのみ形成してあり、電圧を与えて前記振動子との間に静電力を生じさせることで前記振動子における１次振動及び２次振動での固有振動数を合わせ込む前記振動子の振動周波数調整用の電極を、前記リング部内側にのみ形成してあることを特徴とする。
【００１３】
本発明の角速度センサは、検出対象の角速度に応じて振動状態が変化するリング部を有する振動子を形成した半導体基板を備えた角速度センサにおいて、前記振動子の固有振動数に対応した交流電圧を印加して前記振動子に１次振動を励起する前記振動子の静電駆動用の電極と、前記振動子に生じた振動を容量変化に基づいて検出する前記振動子の容量検出用の電極とを、前記半導体基板の前記リング部内側にのみ形成してあり、電圧を与えて前記振動子との間に静電力を生じさせることで前記振動子における１次振動及び２次振動での固有振動数を合わせ込む前記振動子の振動周波数調整用の電極を、前記リング部外側にのみ形成してあることを特徴とする。
【００１４】
本発明の角速度センサは、前記振動周波数調整用の電極の周囲に、前記リング部と同電位の部分を形成してあることを特徴とする。
本発明の角速度センサは、前記振動子、前記半導体基板、前記静電駆動用の電極、前記容量検出用の電極、及び前記振動周波数調整用の電極は、同一材料で作成されていることを特徴とする。
【００１５】  本発明の角速度センサは、前記同一材料はシリコンであることを特徴とする。【００１６】  本発明の角速度センサは、前記静電駆動用の電極、前記容量検出用の電極、前記振動周波数調整用の電極及び前記半導体基板は、実質的に同じ平面上にあることを特徴とする。【００１７】  本発明の角速度センサは、前記振動周波数調整用の電極の隣り合う電極間の設置角度差Δφが、Δφ＜９０°／ｎ（ｎ：前記振動子の振動モードのモード次数）を満たすことを特徴とする。【００１８】  本発明の角速度センサは、前記振動周波数調整用の電極の個数は、３×２ｎ、４×２ｎまたは５×２ｎである（ｎ：前記振動子の振動モードのモード次数）ことを特徴とする。【００１９】  本発明の角速度センサは、一組が３個、４個または５個の振動周波数調整用の電極からなる複数組の振動周波数調整用の電極を、３６０°／２ｎ（ｎ：前記振動子の振動モードのモード次数）の間隔で前記リング部の内側または外側に形成してあることを特徴とする。【００２０】  本発明の角速度センサは、前記複数組の間で対応する振動周波数調整用の電極が存在しており、各組の対応する振動周波数調整用の電極には同じ電圧が印加されることを特徴とする。【００２１】  本発明の角速度センサは、前記複数組の間で対応する振動周波数調整用の電極が存在しており、各組の対応する振動周波数調整用の電極に独立的に電圧が印加されることを特徴とする。【００２２】  本発明の角速度センサは、前記振動子は、前記半導体基板の中心部でその一端が支持され、その他端が前記リング部に連なる複数の梁部を有することを特徴とする。【００２３】  本発明の角速度センサは、前記振動子は、前記半導体基板の前記リング部外側でその一端が支持され、その他端が前記リング部に連なる複数の梁部を有することを特徴とする。【００２４】  本発明の角速度センサは、前記振動周波数調整用の電極と前記梁部との間に、前記リング部と同電位の部分を形成してあることを特徴とする。【００２５】  本発明の角速度センサは、前記同電位の部分に突起部を形成してあることを特徴とする。【００２６】  本発明の角速度センサは、前記容量検出用の電極からの検出信号を増幅する増幅回路を前記半導体基板に形成してあることを特徴とする。【００２７】  本発明の角速度センサは、前記半導体基板は２枚の支持基板で挟まれており、前記振動子、前記静電駆動用の電極、前記容量検出用の電極、及び前記振動周波数調整用の電極を収容するキャビティを形成してあることを特徴とする。【００２８】  本発明の角速度センサは、前記静電駆動用の電極、前記容量検出用の電極、及び前記振動周波数調整用の電極、及び前記振動子を支える中心部の少なくとも１つを、前記２枚の支持基板の一方に接合させて形成してあることを特徴とする。【００２９】  本発明の角速度センサは、前記キャビティにゲッターを設けてあり、前記キャビティ内の雰囲気が１００ｍＴｏｒｒ以下であることを特徴とする。【００３０】  本発明の角速度センサは、前記キャビティに不活性ガスまたはゲッターに吸着されないガスが封入されていることを特徴とする。【００３１】  本発明の角速度センサは、前記２枚の支持基板の一方に、前記静電駆動用の電極に��続する第１配線と該第１配線近傍の第２配線とが設けられており、前記第１配線及び第２配線夫々に逆位相の電圧を印加するように構成したことを特徴とする。【００３２】  本発明の角速度センサは、前記２枚の支持基板の一方に、前記振動周波数調整用の電極に電圧を印加するための配線パターンが形成されていることを特徴とする。【００３３】  本発明の角速度センサは、前記配線パターンの本数は、前記振動周波数調整用の電極の個数／２ｎ（ｎ：前記振動子の振動モードのモード次数）本であり、前記各配線パターンには、３６０°／２ｎ毎に設置された複数の前記振動周波数調整用の電極が接続されていることを特徴とする。【００３４】  本発明の角速度センサは、前記静電駆動用の電極及び前記容量検出用の電極と前記リング部との距離に対する前記半導体基板の厚さの比を８以上としてあることを特徴とする。【００３５】  本発明の角速度センサにあっては、半導体基板内に静電駆動用の電極及び容量検出用の電極を形成している。よって、特許文献１の角速度センサに比べて、振動子の封止特性が良好となる。また、キャパシタのギャップは振動子と静電駆動用の電極及び容量検出用の電極とのギャップで規定されるが、振動子とこれらの電極とを半導体基板の同一平面に形成しているため、このギャップは正確な制御が容易であるエッチング幅に依存することになり、均一な特性を有する角速度センサの量産が容易である。【００３６】  本発明の角速度センサにあっては、静電駆動用の電極と、容量検出用の電極と、振動周波数調整用の電極とを各別に、半導体基板のリング部内側または外側に形成している。例えば、半導体基板のリング部外側に静電駆動用の電極及び容量検出用の電極を形成して、そのリング部内側に振動周波数調整用の電極を形成した構成、またはこれとは逆に、半導体基板のリング部内側に静電駆動用の電極及び容量検出用の電極を形成して、そのリング部外側に振動周波数調整用の電極を形成した構成とする。よって、米国特許第５６１６８６４号のように、振動周波数の調整に静電駆動用の電極を併用することがないので、制御回路は単純で簡略化された構成となる。また、リング部に沿って、振動周波数調整用の電極を均等配置できるので、周波数の整合を精度良く行える。【００３７】  本発明の角速度センサにあっては、振動子、半導体基板、静電駆動用の電極、容量検出用の電極、及び振動周波数調整用の電極が、実質的に同一平面上で、例えばシリコンなどの同一材料で構成されている。よって、ＭＥＭＳの加工技術の適用が容易である。【００３８】  振動周波数調整用の電極をリング部に沿って配置する場合に、隣り合う電極間の設置角度ΔφがΔφ＜９０°／ｎ（ｎ：モード次数）の条件を満たすようにする。振動周波数調整用の電極間の角度分離がモード角分離よりも小さくなる要求を満たすことにより、振動周波数の調整を確実に行える。なお、振動周波数調整用の電極の個数は、３×２ｎ、４×２ｎまたは５×２ｎ（ｎ：モード次数）の何れであっても良い。【００３９】  本発明の角速度センサにあっては、３個、４個または５個の振動周波数調整用の電極から構成される各セットを３６０°／２ｎ（ｎ：モード次数）の間隔でリング部の内側または外側に形��している。ｎ次の振動モードでは、３６０°／２ｎ毎に対称性があるため、このような電極配置により、電極の総面積が大きくなって、周波数調整範囲が広がる。このような電極配置とする場合、各セット間において対応する電極、言い換えると３６０°／２ｎの間隔を隔てて配置されている電極に同じ電圧を印加するように構成しても良いし、または、これらの対応する各電極に異なる電圧を印加するように構成しても良い。前者の構成の場合には、配線パターンの簡素化、及び電圧源の個数の減少化を図れ、後者の構成の場合には、高い精度の周波数調整を図れる。【００４０】  一般的な角型の振動子の場合には、周囲から延びるビーム（梁）によって固定されることが多く、この場合、ガラス／シリコン／ガラスの異種材料の構成では、温度変化時に膨張係数の差異に基づいて生じる内部応力の影響を強く受けるため、温度特性が悪くなることがある。これに対して、本発明の角速度センサでは、半導体基板の中心部で支持された複数の梁部に連なるリング部を有する振動子を使用しているため、温度変化時でも振動子に働く内部応力の変化が小さく、温度変化の影響を受けることがない。【００４１】  本発明の角速度センサにあっては、振動周波数調整用の電極と梁部との間にリング部と同電位の部分（プレート）を設けている。よって、これらの振動周波数調整用の電極と梁部との間に静電引力が作用することを防止する。また、リング部と同電位である部分（プレート）に突起部を形成している。外部衝撃によって振動子が位置変動した場合に、この突起部により振動子は、プレートに先に衝突し、静電駆動用の電極及び容量検出用の電極に接着することがない。【００４２】  本発明の角速度センサにあっては、容量検出用の電極での検出信号を増幅する増幅回路を半導体基板に形成しており、回路構成を小型化するとともに、検出信号以外の外乱成分（ノイズ）の入力を少なくする。【００４３】  本発明の角速度センサにあっては、半導体基板がガラスまたはシリコン製の２枚の支持基板で挟まれ、静電駆動用の電極、容量検出用の電極、及び／または振動周波数調整用の電極が、上側の支持基板にのみ接合させている、すなわち、上側の支持基板につり下げて固定しているため、下側の支持基板に大きなキャビティを設けることができるとともに、ゲッターの設置面積を広くとれる。【００４４】  本発明の角速度センサにあっては、Ｑ値を所定以上にするために、下側の支持基板にゲッターを設けて振動子の雰囲気を低圧に保っている。一方でＱ値の温度係数が高くならないように、振動子の雰囲気を所定の圧力に保つ必要があるため、不活性ガスまたはゲッターに吸着されないガスをキャビティに封入している。【００４５】  本発明の角速度センサにあっては、上側の支持基板に、静電駆動用の電極に接続する第１配線と第１配線近傍の第２配線とを設け、第２配線に第１配線とは逆位相の電圧を印加するようにしている。静電駆動用の第１配線が、容量検出用の電極の上方を通った場合、クロストークが生じるため、第１配線の近傍に配した第２配線に逆位相の電圧を印加してこのクロストーク成分をキャンセルする。よって、容量検出用の電極はクロストークの影響を受けない。【００４６】  本発明��角速度センサにあっては、上側の支持基板に、振動周波数調整用の電極の個数／２ｎ（ｎ：モード次数）本の配線パターンが形成され、各配線パターンには、３６０°／２ｎ毎に設置された複数の振動周波数調整用の電極が接続されている。よって、同じ機能を有する複数の振動周波数調整用の電極をまとめて１つの配線パターンに接続させるため、配線パターンの簡略化を図れる。【００４７】  本発明の角速度センサにあっては、静電駆動用の電極／容量検出用の電極及びリング部の距離と半導体基板の厚さとの比（アスペクト比）を調整する、具体的にはその比を８以上とすることにより、振動子の雰囲気が１００ｍＴｏｒｒ以下であってもＱ値の制御を容易とする。
【発明の効果】
【００４８】  本発明では、半導体基板内に静電駆動用の電極と容量検出用の電極と振動周波数調整用の電極とを形成するようにしたので、振動子の封止特性を向上できるとともに、制御回路が複雑でなくなり、均一な特性を有する角速度センサを容易に量産することができる。また、振動子をリング形状としているので、ガラス／シリコン／ガラスなどの異種材料の構成であっても、温度変化の影響を受けることなく、角速度を正確に検出することができる。例えば、振動周波数調整用の電極を振動子のリング部の内側に設けるようにしたので、リング部の内側領域を有効に利用でき、また、静電駆動用の電極及び容量検出用の電極の面積を大きく取れて十分に大きい容量を得ることができると共に、振動周波数調整用の電極の面積を大きく取れて振動周波数の高精度の調整を行うことができる。【００４９】  本発明では、振動子、半導体基板、静電駆動用の電極、容量検出用の電極、及び振動周波数調整用の電極を、同一材料（シリコン）にて構成するようにしたので、ＭＥＭＳの加工技術を用いて、これらの微細な構造物を高精度に作製することができる。【００５０】  本発明では、隣り合う電極間の設置角度ΔφがΔφ＜９０°／ｎ（ｎ：モード次数）を満たすようにしたので、振動周波数の調整を確実に行うことができる。【００５１】  本発明では、３個、４個または５個の振動周波数調整用の電極を１セットとして、各セットを３６０°／２ｎ（ｎ：モード次数）の間隔でリング部の内側または外側に形成するようにしたので、振動周波数調整用の電極の総面積を大きくできて、周波数調整範囲を広げることができる。【００５２】  本発明では、梁部及びリング部と同電位のプレートを振動周波数調整用の電極と梁部との間に設けるようにしたので、振動周波数調整用の電極と梁部との間に静電引力が作用することを防止できる。また、梁部及びリング部と同電位であるプレートに突起部を形成するようにしたので、外部衝撃によって振動子が位置変動した場合でも、振動子が静電駆動用の電極及び容量検出用の電極に接着することを防止することができる。【００５３】  本発明では、容量検出用の電極での検出信号を増幅する増幅回路を半導体基板に形成するようにしたので、回路構成を小型化できるとともに、検出信号の外乱入力を少なくして正確な検出結果を得ることができる。【００５４】  本発明では、静電駆動用の電極、容量検出用の電極、及び／または振動周波数調整用の電極を上側の支持基板に接合させるようにしたので、これらの電極下方にある下側の支持基板に広いキャビティを形成できるとともに、ゲッタの設置面積を確保することができる。【００５５】  本発明では、下側の支持基板のキャビティ内にゲッターを設け、振動子の雰囲気を低圧（１００ｍＴｏｒｒ以下）に保つようにしたので、Ｑ値を所定以上にすることができる。また、不活性ガスまたはゲッターに吸着されないガスをキャビティに封入して、静電駆動用の電極及び容量検出用の電極とリング部との距離に対する半導体基板の厚さの比（アスペクト比）を８以上とするようにしたので、振動子の雰囲気が１００ｍＴｏｒｒ以下であっても、Ｑ値を非常に高くさせずに所望の値に容易に制御することができる。【００５６】  本発明では、支持基板上の静電駆動用の第１配線の近傍に、第１配線と逆位相の電圧を印加する第２配線を設けるようにしたので、容量検出用の電極に及ぼされるクロストークの影響を抑制することができる。【００５７】  本発明では、上側の支持基板に形成された振動周波数調整用の電極の個数／２ｎ（ｎ：モード次数）本の配線パターンそれぞれに、３６０°／２ｎ毎に設置された複数の振動周波数調整用の電極を接続するようにしたので、配線パターンの簡素化を実現することができる。
【図面の簡単な説明】
【００５８】
【図１】本発明に係る角速度センサの断面構成図である。
【図２】本発明に係る角速度センサのシリコンウェハの平面図である。
【図３】本発明に係る角速度センサにおけるプレートの拡大図である。
【図４】本発明に係る角速度センサでの１次振動及び２次振動の状態を示す図である。
【図５】振動周波数調整用の電極の配置例を示す模式図である。
【図６】振動周波数調整用の電極の配置例を示す模式図である。
【図７】静電駆動用の電極に接続されるガラス基板上の金属配線の模式図である。
【図８】振動周波数調整用の電極に接続されるガラス基板上の配線パターンを示す模式図である。
【図９】本発明に係る角速度センサの製造工程を示す断面図である。
【図１０】従来の角速度センサの構成図である。
【符号の説明】
【００５９】  １  シリコンウェハ（半導体基板）
２，３  ガラス基板
１０  振動子
１１  中心部
１２  梁部（ビーム）
１３  リング部
２１ａ，２１ｂ  静電駆動用の電極（駆動電極）
２１ｅ，２１ｆ  容量検出用の電極（検出電極）
２２，２４，２６，２８  ギャップ
２３  振動周波数調整用の電極（調整電極）
２５  プレート
２５ａ，２５ｂ  突起部
２７  パッド
２９  増幅回路
３１  スルーホール
３２  パッド
３３，３４  キャビティ
３５  ゲッター
３６  ワイヤ
４１  金属配線（第１配線）
４２  電圧源
４３  金属配線（第２配線）
５１  配線パターン
【発明を実施するための最良の形態】
【００６０】  以下、本発明をその実施の形態を示す図面に基づいて具体的に説明する。図１は本発明に係る角速度センサの断面構成図、図２は本発明に係る角速度センサのシリコンウェハの平面図である。【００６１】  平面リング共振器構造を用いた角速度センサでは、振動のモード次数をｎとした場合に、任意のｎによるｃｏｓｎθモードの対を用いても動作が可能である。しかしながら、高次モードでは、モード結合係数が低下し、またモードの形が複雑になるため、実用的には低次モード（ｎ＝２，ｎ＝３）が広く用いられている。以下の実施の形態では、ｎ＝２である例、つまりｃｏｓ２θモードを用いた例について説明する。【００６２】  本発明の角速度センサは、ＭＥＭＳ技術を用いて後述する振動子、各種の電極などを形成している半導体基板としてのシリコンウェハ１（例えば、厚さ１００〜３００μｍ）を、パイレックス（登録商標）ガラスからなる支持基板としての２枚のガラス基板２，３で挟み込んだ構成をなしており、ガラス／シリコン／ガラスの３層構造を採っている。そして、ガラス基板２，３は、シリコンウェハ１に形成された振動子１０を低圧に封止している。振動子１０は、中心部１１で支持されて周方向に８等配して延在する８本の梁部（ビーム）１２と、これらの８本の梁部１２に連結された環状のリング部１３とを有する。梁部１２の一端は中心部１１に支持され、その他端はリング部１３に接続されており、梁部１２がリング部１３を支持している。【００６３】  リング部１３の外側には、リング部１３から適宜（例えば１０μｍ程度）のギャップ２２を空けて、８個の電極２１（２１ａ〜２１ｈ）が等配的に形成されている。対向する電極同士は、同じ機能を有しており、電極２１ａ及び２１ｂは、振動子１０に１次振動を起こさせるための静電駆動用の電極（以下単に駆動電極とも言う）であり、電極２１ｃ及び２１ｄは、振動子１０に生じた１次振動を検出するための電極であり、電極２１ｅ及び２１ｆは、振動子１０に生じた２次振動を検出するための容量検出用の電極（以下単に検出電極とも言う）であり、電極２１ｇ及び２１ｈは、振動子１０に生じた２次振動を打ち消すための電極である。【００６４】  １次振動の振動数が振動子１０の固有振動数に合うように、駆動電極２１ａ，２１ｂと１次振動検出用の電極２１ｃ，２１ｄとの間で振幅及び周波数を制御している。２次振動によって発生するコリオリ力の影響を無くして検出精度の向上を図るべく、２次振動をヌルにするための電圧を電極２１ｇ及び２１ｈに印加する。この電圧をモニタすることにより、角速度の大きさを検出する。このように同じ機能を有する電極を２個ずつ設けるようにしているため、検出感度を２倍とすることができる。また、対向する位置（点対称の位置）に同じ機能を有する電極を配置しているため、外部衝撃印加による出力変動の際に互いのキャンセル効果を期待できる。【００６５】  リング部１３の内側には、リング部１３から適宜（例えば１０μｍ程度）のギャップ２４を空けて、１６個の振動周波数調整用の電極（以下単に調整電極とも言う）２３が等配的に形成されている。これらの調整電極２３は、静電引力によって固有振動数を制御する電極であり、１次振動及び２��振動での固有振動数を合わせ込む（一致させる）ための電圧が印加される。本例では、１６個の調整電極２３を形成しており、両固有振動数の整合を良好に行える。【００６６】  実質的に同一平面上に形成された振動子１０（リング部１３及び梁部１２）と電極２１と調整電極２３とを、同一材料（シリコン）にて作製しているので、作製コストが低く、微細な構造物を精度良く作製することが可能なＭＥＭＳ技術を使い易い。なお、ＭＥＭＳの加工技術に適して導電性を有するシリコンを材料に用いることが一般的であるが、スパッタ法またはメッキ法で積層した金属を材料として用いても良い。【００６７】  本発明では、駆動電極，検出電極などの８個の電極２１（２１ａ〜２１ｈ）をリング部１３の外側に配置し、１６個の調整電極２３をリング部１３の内側に配置している。よって、リング部１３の外側に配置した８個の電極２１は、調整電極２３の設置に伴う面積減少の影響を受けることがなく、十分に大きい容量が得られる。すなわち、これらの２４個の電極全てをリング部１３の外側に配置する構成に比べて、８個の電極２１の面積を大きくすることができて十分な容量を得ることができると共に、１６個の調整電極２３の面積を大きくすることができて振動周波数を高精度に調整することができる。また、リング部１３の内側領域を有効に利用して調整電極２３を形成しているため、小型の構成を実現できている。【００６８】  隣り合う梁部１２，１２の間、及び、梁部１２と電極２３との間には、梁部１２及びリング部１３と同電位である８枚のプレート２５が、梁部１２，電極２３の間にぞれぞれギャップ２６，２８を介して形成されている。図３は、このプレート２５の拡大図であり、プレート２５のリング部１３との対向面及び梁部１２との対向面には、突起部２５ａ，２５ｂが形成されている。【００６９】  また、シリコンウェハ１の隅角部には、振動子１０に生じた１次振動または２次振動を検出するための電極２１ｃ，２１ｄ，２１ｅ，２１ｆでの検出信号を増幅する増幅回路２９が形成されており、プリアンプをセンサチップに組み込んだ構成としている。【００７０】  上側のガラス基板２には、上記電極２１（２１ａ〜２１ｈ），２３に対応する位置にスルーホール３１が形成されている。各電極２１（２１ａ〜２１ｈ），２３のパッド２７と、ガラス基板２の表面に形成したパッド３２とを接続するワイヤ３６が、各スルーホール３１内を挿通している。ガラス基板２下部の振動子１０（梁部１２及びリング部１３）に対応する領域は、部分的に欠削されてキャビティ３３となっている。このスルーホール３１及びキャビティ３３を設けた部分以外の領域では、ガラス基板２の下面がシリコンウェハ１に接合されている。【００７１】  下側のガラス基板３の上面側には、大きなキャビティ３４が設けられており、キャビティ３４の底面にゲッター３５が設けられている。キャビティ３４を設けた部分以外の領域では、ガラス基板３の上面がシリコンウェハ１に接合されている。ゲッター３５は、ガラス基板３とシリコンウェハ１との陽極接合時に発生する水素ガスを吸着する。【００７２】  ２枚のガラス基板２，３で、振動子１０、各種の電極２１，２３を支持するとともに、振動子１０を低圧に封止している。リング部１３の内側に設けた調整電極２３は、上側のガラス基板２にのみ接合されている、言い換えると、上側のガラス基板２につり下げられて固定されているため、下側のガラス基板３に大きなキャビティ３４を設けることができるとともに、ゲッター３５の設置面積を広くとることが可能である。本発明では、シリコンウェハ１に駆動用または検出用の電極を形成しているため、ガラス基板にこれらの電極を設ける場合に比べて、封止特性が良好である。振動子１０（梁部１２及びリング部１３）は、キャビティ３３，３４内で振動する。【００７３】  次に、動作について説明する。本発明の角速度センサでは、静電引力を利用して振動子１０を駆動させ（１次振動）、加えられた角速度に応じた新たな振動（２次振動）による静電容量の変化を検知し、その２次振動をヌルにするために電極２１ｇ及び２１ｈに印加すべき電圧をモニタすることにより、加えられた角速度を検出する。まず、駆動電極２１ａ，２１ｂに電圧を印加して、振動子１０にｃｏｓ２θモードの１次振動を起こさせる。この１次振動の状態を図４（ａ）に示す。ここで、リング部１３に垂直な軸を中心に角速度（図４（ａ）のΩ）が生じた場合、コリオリ力（図４（ａ）のｆｃ）が発生し、ｓｉｎ２θモードの２次振動を起こさせる。この２次振動の状態を図４（ｂ）に示す。１次振動と２次振動との共振周波数は、完全な構成であれば理論的には一致する。【００７４】  振動子１０の静電駆動用に直流電圧ＶＤＣと交流電圧ＶＡＣとが印加された場合、電極に加えられる力Ｆは下記（１）式で示される。
Ｆ＝εＳ（ＶＤＣ＋ＶＡＣ）２／２ｄ２    …（１）
但し、ε：誘電率、Ｓ：電極の面積、ｄ：リング部，電極間の距離【００７５】  振動時の振動子１０と電極２１ｃ及び２１ｄとの間に蓄積する電気量Ｑは下記（２）式で表され、下記（３）式で示される電流を検出することになるため、この電流の変化をモニタすることによって、１次振動を検出する。そして、加えられる角速度で発生するコリオリ力で励起する２次振動を電極２１ｅ及び２１ｆで検出し、励起した２次振動をヌルにするために電極２１ｇ及び２１ｈに印加すべき電圧をモニタして、加えられた角速度を検出する。【００７６】
【数１】
0004571943.tif 000002
【００７７】          但し、Ｖ：リング部，電極間の電圧、ｄ０：リング部，電極間の初期距離、
ａ：１次振動の振幅、ω：共振周波数【００７８】  次に、本発明の特徴部分をなす調整電極２３の構成、作用、効果などについて説明する。ｃｏｓｎθモードを用いる振動型の角速度センサでは、駆動する１次振動の固有振動数と角速度によって励起される２次振動の固有振動数とを正確に整合させる必要があり、調整電極２３は、これらの固有振動数を整合させるための調整を行う。ある調整電極２３に電圧が印加された場合に、ｃｏｓ２θモードでの周波数変化の大きさは、そのモードの振動軸に対する調整電極２３の角度位置に依存する。ｃｏｓ２θモードは４５°の振動軸のずれを持つ２つのモードを有するが、その一方のモードの振動軸方向（径方向の腹）に電圧が印加された場合、そのモード周波数での最大シフトが達成されることになる。この位置は他方のモードの径方向の節と一致し、この位置では径方向の動きはないので、このモードにおいて結果として周波数変化は最小となる。従って、製作過程で発生する不完全なリングにおける２つのモードの周波数差（つまり、非ゼロモードの周波数スプリット）を最小にするために、モード周波数を差分的に調整することが可能である。調整電極２３に印加される電圧の大きさは、最初に測定された周波数スプリットを正確に補償するような周波数シフトを誘起するように計算される。【００７９】  一方のモードの振動軸方向が１つの調整電極２３に対して完全に一致しない場合、この位置で両方のモードが径方向の動きを持つため、電圧が印加されると両方の周波数が変化する。この場合、両方のモード周波数を一致させるためには、かなりの高電圧を要し、必要な電圧の計算はより複雑になる。要求される電圧を容易に計算できる場合、効率的に周波数の平衡を実現するためには、２つの振動モードのうち高い周波数を持つモードの振動軸に沿って、複数の電極に平衡力を正確に分解することが必要である。【００８０】  そこで本実施の形態では、０°と９０°との間、９０°と１８０°との間、１８０°と２７０°との間、２７０°と３６０°（＝０°）との間に、２２．５°の間をあけてそれぞれ４個ずつの調整電極２３を配置した構成としている。この構成では、高い周波数を持つモードの振動軸の両側の最も近い調整電極２３に、下記（４）式，（５）式で示される電圧ΔＶ１，ΔＶ２が印加されて、振動軸（角度φｍ）に沿って分解力が与えられる。【００８１】
【数２】
0004571943.tif 000003
【００８２】          但し、φ１，φ２：振動軸（角度φｍ）の両側の最も近い２個の調整電極２３の角度位置
ｎ：モード次数（本実施の形態ではｎ＝２）
ΔＦ：平衡すべきモード周波数スプリット
ｋ：周波数調整係数を定義する定数【００８３】  なお、高周波数モードの振動軸が１つの調整電極２３の中心と一致する場合には、その１つの調整電極２３のみに電圧を印加するだけで良い。例えば、φｍ＝φ１であればΔＶ２＝０となり、φｍ＝φ２であればΔＶ１＝０となる。【００８４】  以上のような効果は、０°と９０°との間のみに４個の調整電極２３を配置するだけでも得られるが、本実施の形態では、同一の電圧を印加する調整電極２３を他の角度領域にも設置することにより、調整電極２３の総面積を増加させて、４倍の周波数調整範囲が得られるようにしている。これは、ｃｏｓ２θモードの振動形状が、９０°毎に対称性を有するからである。一般的にｎ次の振動モードの場合では、３６０°／２ｎ毎に対称性を有するため、３６０°／２ｎ毎に振動周波数調整用の電極を配置すれば、ｃｏｓ２θモードと同様に周波数調整範囲を広げることができる。【００８５】  調整電極２３の配置条件は、高周波数モードの振動軸（角度φｍ）に沿って十分な角解像で平衡力を分解でき、ｃｏｓ２θモード周波数を差分的にシフトできることである。これには、隣り合う調整電極２３，２３間の設置角度差がモード離角度より小さいことが要求され、具体的に、その設置角度差Δφは、ｎをモード次数とした場合に、下記（６）式で示される条件を満たす必要がある。具体的に、設置角度差Δφは、ｃｏｓ２θモードの場合に４５°未満、ｃｏｓ３θモードの場合に３０°未満となる。
Δφ＜９０°／ｎ            …（６）【００８６】  調整電極２３，２３の設置角度差が上記（６）式の限界に近く、しかも振動軸が２個の調整電極２３，２３の間に位置する場合には、調整電極２３に印加される電圧が両方のモードに対して似通った効果をもつことになり、周波数整合には高電圧が必要である。しかしながら、個々の調整電極２３が大きくなるため表面積が増加することにより、この効果は一部オフセットとなり得る。【００８７】  調整電極２３の総面積を最大限にして調整範囲を最大限にすることが好ましい。また、１８０°／ｎの各円弧の領域に調整電極２３を同じ個数ずつ配置することが望ましく、このような構成により、調整電極２３の構成を２ｎ組まで増やすことができる。【００８８】  本実施の形態では、９０°の各円弧内で４個の調整電極２３を設け、総数１６個の調整電極２３を設置している。図５，図６は、ｃｏｓ２θモードにおける調整電極２３の配置の他の例を示している。図５に示す例では、９０°の各円弧内で３個の調整電極２３を設け、総数１２個の調整電極２３を設置している。図６に示す例では、９０°の各円弧内で５個の調整電極２３を設け、総数２０個の調整電極２３を設置している。【００８９】  ９０°の各円弧内で２個の調整電極２３を設置した場合には、上記（６）式の条件を満たさなくなって、周波数整合を行えなくなる。一方、調整電極２３を設置個数を図６に示す例より多くすることもできるが、必要な電気的接続が増加し、差分電圧が印加される電極面積が小さくなってしまうので、実用的とは言えない。【００９０】  よって、ｎをモード次数とした場合に、設置される調整電極２３の総数は、３×２ｎ、４×２ｎまたは５×２ｎとすることが実用的である。これに基づくと、ｃｏｓ３θモードの場合には、６０°（１８０°／ｎでｎ＝３）の各円弧の中に、３個、４個または５個の調整電極２３をそれぞれ設け、総数で１８個、２４個または３０個の調整電極２３を設ける構成が好ましい。【００９１】  以下、本発明の角速度センサの更なる特徴及びその特徴に基づく効果について説明する。中心部１１で支持された８本の梁部１２と、これらの梁部１２に連結されたリング部１３とから振動子１０を構成しているため、他の振動子に比べて質量を小さくできて、慣性力の影響が少なくなる。また、振動子１０が振動しても、その重心位置は変動しないため、反力が少なく、振動子１０の固定系への影響が小さい。中心部１１で支持されているため、ガラスとシリコンとにおける膨張係数の差から生じる内部応力の影響を受けることがなく、温度特性に優れている。【００９２】  シリコンウェハ１に各種の電極を形成しているため、振動子１０の封止機能の信頼性を高くできる。また、振動子１０（リング部１３）と各種の電極とを同一平面上に形成しているため、マスクパターンの幅を調整することにより、振動子１０（リング部１３）と各種の電極との間の距離を制御することになり、その制御は簡単であって、所望の距離を容易に実現できる。この結果、所望で均一な特性を有する角速度センサの量産が可能となる。【００９３】  本発明の角速度センサにおけるＱ値の制御について説明する。振動子１０に一般的に求められるＱ値は１０００以上である��振動子１０の雰囲気の圧力が高い場合にはＱ値が低くなるため、圧力を低くするために、気体（特に陽極接合時に発生する水素ガス）を吸着するためのゲッター３５をガラス基板３に設けている。但し、Ｑ値が高すぎる場合には、振動子１０を駆動する回路の制御系（特に駆動電圧の振動素を制御するＰＬＬ（Ｐｈａｓｅ  Ｌｏｃｋ  Ｌｏｏｐ）回路など）に高い分解能が必要となる、温度係数が大きい内部摩擦によるダンパー効果が支配して温度特性が悪くなるなどの問題があるので、Ｑ値には上限が存在する。【００９４】  任意のＱ値を得るために、陽極接合時にゲッター３５が吸収しない希ガス（Ａｒ，Ｎｅなど）を封入してガスによるダンパー効果を制御する方法が考えられる。しかしながら、陽極接合時には高電圧が印加されるので、希ガスの圧力が所定範囲である場合には放電が問題となる。例えば、Ｍを封入ガスに用い、陽極接合時に３５０Ｖ以上の電圧を印加した場合、１００ｍＴｏｒｒ以上で放電が発生する。Ｑ値は振動子１０の雰囲気の圧力に影響され、１００ｍＴｏｒｒ以下では、Ｑ値が非常に高くなって上記上限を超えることになる。【００９５】  同じ圧力下でも振動子１０の構造がダンピング効果に大きな影響を与え、特に、ギャップ部でのスクイーズダンピング効果の影響力が高い。この点を考慮して、本実施の形態では、リング部１３と電極２１（２１ａ〜２１ｈ）との間の距離ｄ、つまりギャップ２２の幅ｄ（図１参照）に対するシリコンウェハ１の厚さＴ（図１参照）の割合（アスペクト比）Ｔ／ｄを高くする。具体的には、Ｔ／ｄの値を８以上として、振動子１０のＱ値を制御する。よって、本発明にあっては、１００ｍＴｏｒｒ以下であっても、非常に高くならないようにＱ値を制御することが可能である。【００９６】  次に、梁部１２，１２の間、及び、梁部１２，調整電極２３の間に設けたプレート２５と、プレート２５に形成した突起部２５ａとの効果について説明する。プレート２５は、振動子１０（梁部１２及びリング部１３）と同電位であり、このようなプレート２５を梁部１２と調整電極２３との間に設けているので、梁部１２と調整電極２３との間に静電引力が作用することを防止でき、固有振動数を変動させることがない。【００９７】  外部衝撃による慣性力が生じた場合、プレート２５の突起部２５ａの存在により、梁部１２またはリング部１３は、これと同電位であるプレート２５に先に衝突するため、梁部１２またはリング部１３の変移量を抑制することができる。なお、突起部２５ａを梁部１２またはリング部１３に形成しても同様の効果を奏することはできるが、可動部材である梁部１２またはリング部１３に突起部２５ａを形成した場合、その質量変化、応力の異常発生など、振動に悪影響を及ぼすことが考えられるため、本発明では、固定部材であるプレート２５に突起部２５ａを形成している。【００９８】  また、振動子１０に生じた１次振動または２次振動を検出するための電極２１ｃ，２１ｄ，２１ｅ，２１ｆから出力される検出信号のレベルはかなり小さい。よって、浮遊容量に反応し、検出チャンネルに組み込まれる偽信号を生じさせる結果となり、性能が劣化することが考えられる。誤差を最小限にするためには、出来る限り電極の近傍で検出信号を増幅することが好ましい。そこで、本実施の形態では、シリコンウエハ１に増幅回路２９を形成して、各電極２１ｃ，２１ｄ，２１ｅ，２１ｆからの検出信号を増幅する。よって、レベルが小さくても、正確な検出信号を取得することが可能である。【００９９】  次に、上側のガラス基板２上での金属配線について説明する。図７は、駆動電極２１ａ（または２１ｂ）に接続される金属配線の模式図であり、図７において、図１，図２と同一部分には同一符号を付している。駆動電極２１ａのパッド２７にワイヤ３６を介して接続されるガラス基板２のパッド３２に、その一端を接続させた第１配線としての駆動電圧用の金属配線４１がガラス基板２上にパターン形成されている。金属配線４１の他端は、電圧源４２に接続されている。この金属配線４１に並設して、第２配線としてのキャンセル用の金属配線４３がガラス基板２上にパターン形成されている。この金属配線４３の一端は開放され、他端は電圧源４２に接続されている。【０１００】  電圧源４２は、金属配線４１に駆動電圧を印加し、この駆動電圧と逆位相の電圧を金属配線４３に印加する。駆動電圧用の金属配線４１が検出電極２１ｅ（または２１ｆ）の上方を通った場合に、容量性結合による信号伝播（クロストーク）が発生する。そこで、本実施の形態では、金属配線４１の近傍にある金属配線４３に駆動電圧と逆位相の電圧を印加して、このクロストーク成分をキャンセルする。この結果、検出電極２１ｅ（または２１ｆ）ではクロストークの影響を受けない検出信号が得られて、正確な角速度を検出することができる。【０１０１】  一般に１次振動を駆動するための電圧は、２次振動をヌルにするための駆動電圧よりも大きいため、１次振動の駆動用電極２１ａ，２１ｂに接続される金属配線にのみ上述したような構成を適用すれば良い。このようにすれば、金属配線の必要以上の複雑化を防止できる。しかしながら、検出対象の角速度が非常に大きい場合には、２次振動をヌルにするための駆動電圧によるクロストークが有意の大きさとなるので、２次振動をヌルにするための駆動用電極２１ｇ，２１ｈにも、同様の構成を適用することが好ましい。【０１０２】  次に、上側のガラス基板２上での１６個の調整電極２３における金属配線について説明する。図８は、この金属配線の模式図であり、図８において、図１，図２と同一部分には同一符号を付している。上側のガラス基板２には、１６（調整電極２３の個数）／２×２（モード次数）＝４本の配線パターン５１が形成されている。各配線パターン５１には、３６０°／２×２＝９０°毎に設置された４個の調整電極２３が、ガラス基板２に形成されたスルーホールを介してワイヤボンディング接続されている。各配線パターン５１の一端は、ガラス基板２の一つの周縁部まで延長されている。そして、少なくとも１つの調整電極２３へ電圧を印加する電圧源５２に、これらの配線パターン５１の一端が接続される。なお、５３はリング部１３に一定のＤＣ電圧を与えるための電極である。【０１０３】  本実施の形態では、同一の調整用電圧が印加される４個ずつの調整電極２３をそれぞれ各１本の配線パターン５１にて接続するようにしたので、１６個の調整電極２３それぞれに対して配線を施す場合に比べて、配線構造の簡略化を図ることができる。【０１０４】  図８に示すような配線パターンにて、９０°毎に設置された４個の調整電極２３それぞれに同一の電圧を印加すれば、調整電極２３用に準備する電圧源の個数を最少にできる。しかしながら、電圧源の分解能が充分でない場合に、高精度の周波数調整を実現するためには、９０°毎に設置された４個の調整電極２３に独立して異なる電圧を印加した方が良い。例えば、電圧源の分解能が３段階である場合には、９０°毎に設置された各調整電極２３に同一の電圧を印加したときに、３段階の平衡力しか与えられない。これに対して独立的に異なる電圧を印加できれば、１２段階の平衡力を与えることができる。【０１０５】  振動周波数調整用の電極はセンサの内側に点在しているので、ガラス基板の上に配線パターンを配置してそれらの電極に電気的接続を施すことは、外部との配線を容易にするために有用である。【０１０６】  次に、本発明の角速度センサの製造方法について説明する。図９は、その製造工程を示す断面図である。シリコンウェハ１上にパッド２７を形成する（図９（ａ））。具体的には、シリコンウェハ１の表面にパッド２７となる金属膜を蒸着した後、フォトリソグラフィで作成したレジストパターンをマスクとしたウェットエッチングにより、パッド２７をパターン形成する。【０１０７】  次いで、スルーホールが設けられた上側のガラス基板２を、陽極接合によってシリコンウェハ１に接合する（図９（ｂ））。なお、接合されるガラス基板２には、サンドブラスト加工によってキャビティ３３が予め作成されているとともに、金属膜の蒸着，フォトリソグラフィ，ウェットエッチングの一連の処理によって、その表面にパッド３２及び金属配線（図示せず）が予め作成されている。次いで、シリコンウェハ１のガラス基板２との接合面とは反対側から、ＤｅｅｐＲＩＥ（Ｒｅａｃｔｉｖｅ  Ｉｏｎ  Ｅｔｃｈｉｎｇ）処理などを含むＭＥＭＳ技術を用いて、リング部１３を有する振動子、電極２１，２３、溝２２，２４などをシリコンウェハ１に形成する（図９（ｃ））。【０１０８】  次いで、陽極接合により、シリコンウェハ１に下側のガラス基板３を接合する（図９（ｄ））。なお、接合されるガラス基板３には、サンドブラスト加工にて作成されたキャビティ３４の底面にゲッター３５が予め設けられている。この接合時にＡｒガスを封入し、接合後、ゲッター３５を加熱して活性化させて水素ガスなどを吸着させる。最後に、シリコンウェハ１の電極２１，２３のパッド２７とガラス基板２のパッド３２とをワイヤ３６にてボンディングする（図９（ｅ））。【０１０９】  なお、上述した例ではガラス基板２／シリコンウェハ１／ガラス基板３からなるガラス／シリコン／ガラスの３層構成としたが、ガラス基板に代えてシリコン基板を使用することも可能であり、ガラス／シリコン／シリコンの３層構成またはシリコン／シリコン／ガラスの３層構成、更に、シリコン／シリコン／シリコンの３層構成であっても、本発明は適用可能である。但し、シリコン，シリコン間には絶縁を図るためにＳｉＯ２などの絶縁膜を介装する必要がある。また、シリコン，シリコンの接合は、陽極接合ではなくて��貼り合わせて加熱するフュージョン接合である。【０１１０】  なお、上述した実施の形態では、ｃｏｓ２θモードにて振動する場合について説明したが、ｃｏｓ３θモードにて振動する場合についても本発明を同様に適用することができ、一般的なｃｏｓｎθモードの全てに対して、本発明の構成を用いることができる。【０１１１】  また、上述した実施の形態では、静電駆動用の電極及び容量駆動用の電極をリング部の外側に形成し、振動周波数調整用の電極をリング部の内側に形成したが、これとは逆に、静電駆動用の電極及び容量駆動用の電極をリング部の内側に形成し、振動周波数調整用の電極をリング部の外側に形成する構成であっても、本発明を同様に適用できる。更に、静電駆動用の電極と、容量駆動用の電極と、振動周波数調整用の電極とを、リング部の外側または内側に混在させて形成するようにしても良い。【０１１２】  また、上述した実施の形態では、シリコンウェハの中心部で一端が支持された複数の梁部にてリング部を支持するようにしたが、リング部をその外側から支持するような構成であっても、本発明を同様に適用できる。【０１１３】  また、上述した実施の形態では、振動周波数調整用の電極のみが上側のガラス基板に接合される（つり下げられる）ようにしたが、静電駆動用の電極、容量駆動用の電極、及び／またはリング部を支える中心部も同様に、上側のガラス基板に接合される（つり下げられる）ようにしても良い。このようにすると、キャビティが大きくなり、ゲッターが占める面積も大きくなるので、信頼性の高いパッケージが可能となる。【０１１４】  また、上述した実施の形態では、リング部１３と同電位のプレート２５を設けるようにしているが、プレート２５は必ずしも必須の部材ではない。梁部１２、調整電極２３のサイズ、または梁部１２，調整電極２３間の距離を調整することにより、弱い静電引力しかかからないようにできれば、プレート２５を設ける必要はない。
【図１】
0004571943.tif 000004
【図２】
0004571943.tif 000005
【図３】
0004571943.tif 000006
【図４】
0004571943.tif 000007
【図５】
0004571943.tif 000008
【図６】
0004571943.tif 000009
【図７】
0004571943.tif 000010
【図８】
0004571943.tif 000011
【図９】
0004571943.tif 000012
【図１０】
0004571943.tif 000013